(57)【要約】【課題】記録紙カセットに接続される携帯型プリンタを小型にすることのできる記録紙カセットを提供する。【解決手段】記録紙を収納し、プリンタと接続される記録紙カセットであって、前記プリンタの給紙ローラと接する第１の搬送ローラと、前記記録紙と接する第２の搬送ローラと、前記第１の搬送ローラのシャフトに取り付けられた第１のギア及び第２のギアと、同一のシャフトに取り付けられた第３のギア及び第４のギアと、前記第２の搬送ローラのシャフトに取り付けられた第５のギアと、を有し、前記第１のギアは、前記第１の搬送ローラ及び前記第２のギアとは独立に回転するものであって、前記プリンタの給紙ギアは、前記第１のギアと噛み合っており、前記第１のギアは、前記第３のギアと噛み合っており、前記第４のギアは前記第３のギアとともに回転し、前記第４のギアは、前記第５のギアと噛み合っており、前記第５のギアが回転することにより、前記第２の搬送ローラが回転するものであることを特徴とする記録紙カセットを提供することにより上記課題を解決する。【選択図】図１５
2019182588.tif 000002
【特許請求の範囲】
【請求項１】
記録紙を収納し、プリンタと接続される記録紙カセットであって、
前記プリンタの給紙ローラと接する第１の搬送ローラと、
前記記録紙と接する第２の搬送ローラと、
前記第１の搬送ローラのシャフトに取り付けられた第１のギア及び第２のギアと、
同一のシャフトに取り付けられた第３のギア及び第４のギアと、
前記第２の搬送ローラのシャフトに取り付けられた第５のギアと、
を有し、
前記第１のギアは、前記第１の搬送ローラ及び前記第２のギアとは独立に回転するものであって、
前記プリンタの給紙ギアは、前記第１のギアと噛み合っており、
前記第１のギアは、前記第３のギアと噛み合っており、
前記第４のギアは前記第３のギアとともに回転し、
前記第４のギアは、前記第５のギアと噛み合っており、
前記第５のギアが回転することにより、前記第２の搬送ローラが回転するものであることを特徴とする記録紙カセット。
【請求項２】
前記プリンタの給紙ギアの回転は、前記第１のギアに伝達され、
前記第１のギアの回転は、前記第３のギアに伝達され、
前記第４のギアは前記第３のギアとともに回転し、
前記第４のギアの回転は、前記第５のギアに伝達され、
前記第５のギアが回転することにより、前記第２の搬送ローラと接している記録紙を前記プリンタ側に搬送することを特徴とする請求項１に記載の記録紙カセット。
【請求項３】
前記第４のギアは、前記第２のギアと噛み合っており、
前記第４のギアの回転は、前記第２のギアに伝達され、
前記第２のギアが回転することにより、前記第１の搬送ローラが回転し、
前記第１の搬送ローラが回転することにより、前記第１の搬送ローラと接している前記給紙ローラが回転し、前記記録紙は前記第１の搬送ローラと前記給紙ローラとの間に挟まれて搬送されることを特徴とする請求項１または２に記載の記録紙カセット。
【請求項４】
前記第４のギアは、前記記録紙が搬送される際に、前記第３のギアよりも速く回転するワンウェイギアであることを特徴とする請求項１から３のいずれかに記載の記録紙カセット。
【請求項５】
前記第２の搬送ローラのシャフトは、前記記録紙が搬送される際に、前記第５のギアより速く回転するワンウェイ機構であることを特徴とする請求項４に記載の記録紙カセット。
【請求項６】
前記プリンタにより印刷がされている際には、
前記第１の搬送ローラの回転により、前記第２のギアが回転し、
前記第２のギアの回転は、前記第４のギアに伝達され、前記第４のギアは前記第３のギアよりも速く回転することを特徴とする請求項４または５に記載の記録紙カセット。
【発明の詳細な説明】
【技術分野】
【０００１】
本発明は、記録紙カセットに関する。
【背景技術】
【０００２】
従来の携帯型プリンタは箱形に形成されており比較的大きく、バッグ等に入れられて持ち運ばれていたが、携帯型プリンタは小型で軽く、持ち運びやすいものが好ましい。このような携帯型プリンタでは、記録紙に印刷をする際に、複数枚の記録紙が収納された記録紙カセットが用いられる場合がある。
【先行技術文献】
【特許文献】
【０００３】
【特許文献１】特開２００６−１５９４２７号公報
【特許文献２】特開２００４−３４５８１９号公報
【発明の概要】
【発明が解決しようとする課題】
【０００４】
携帯型プリンタに記録紙カセットを接続して記録紙に印刷をする場合には、記録紙カセットに収納されている記録紙が、携帯型プリンタに供給される。このため、記録紙を搬送するための搬送機構が必要となるが、携帯型プリンタに搬送機構が設けられると、携帯型プリンタが大型化してしまう。
【課題を解決するための手段】
【０００５】
本実施の形態の一観点によれば、記録紙を収納し、プリンタと接続される記録紙カセットであって、前記プリンタの給紙ローラと接する第１の搬送ローラと、前記記録紙と接する第２の搬送ローラと、前記第１の搬送ローラのシャフトに取り付けられた第１のギア及び第２のギアと、同一のシャフトに取り付けられた第３のギア及び第４のギアと、前記第２の搬送ローラのシャフトに取り付けられた第５のギアと、を有し、前記第１のギアは、前記第１の搬送ローラ及び前記第２のギアとは独立に回転するものであって、前記プリンタの給紙ギアは、前記第１のギアと噛み合っており、前記第１のギアは、前記第３のギアと噛み合っており、前記第４のギアは前記第３のギアとともに回転し、前記第４のギアは、前記第５のギアと噛み合っており、前記第５のギアが回転することにより、前記第２の搬送ローラが回転するものであることを特徴とする。
【発明の効果】
【０００６】
開示の記録紙カセットによれば、記録紙カセットに接続される携帯型プリンタを小型にすることができる。
【図面の簡単な説明】
【０００７】
【図１】携帯型のプリンタの斜視図
【図２】携帯型のプリンタの断面図
【図３】本実施の形態の記録紙カセットの部分透過した上面側の斜視図
【図４】本実施の形態の記録紙カセットの部分透過した底面側の斜視図
【図５】本実施の形態の記録紙カセットの上面側の斜視図
【図６】カセットカバーが取り付けられた記録紙カセットの上面側の斜視図
【図７】カセットカバーが取り付けられた記録紙カセットの底面側の斜視図
【図８】本実施の形態の記録紙カセットにプリンタが取り付けられた上面側の斜視図
【図９】本実施の形態の記録紙カセットにプリンタが取り付けられた底面側の斜視図
【図１０】本実施の形態の記録紙カセットにプリンタが取り付けられた上側面図
【図１１】本実施の形態の記録紙カセットにプリンタが取り付けられた下側面図
【図１２】本実施の形態の記録紙カセットへの記録紙の設置の説明図（１）
【図１３】本実施の形態の記録紙カセットへの記録紙の設置の説明図（２）
【図１４】本実施の形態の記録紙カセットへの記録紙の設置の説明図（３）
【図１５】本実施の形態の記録紙カセットとプリンタとの接続の説明図（１）
【図１６】本実施の形態の記録紙カセットとプリンタとの接続の説明図（２）
【図１７】本実施の形態の記録紙カセットとプリンタとの接続の説明図（３）
【図１８】本実施の形態の記録紙カセットとプリンタとのギアの説明図（１）
【図１９】本実施の形態の記録紙カセットとプリンタとのギアの説明図（２）
【図２０】本実施の形態の記録紙カセットとプリンタとのギアの説明図（３）
【図２１】本実施の形態の記録紙カセットのギアの回転の説明図
【発明を実施するための形態】
【０００８】
本発明を実施するための形態について、以下に説明する。尚、同じ部材等については同一の符号を付して説明を省略する。本願において、Ｘ１−Ｘ２方向、Ｙ１−Ｙ２方向、Ｚ１−Ｚ２方向を相互に直交する方向とする。また、Ｘ１−Ｘ２方向及びＹ１−Ｙ２方向を含む面をＸＹ面と記載し、Ｙ１−Ｙ２方向及びＺ１−Ｚ２方向を含む面をＹＺ面と記載し、Ｚ１−Ｚ２方向及びＸ１−Ｘ２方向を含む面をＺＸ面と記載する。
【０００９】
（プリンタ）
最初に、本実施の形態による記録紙カセットが取り付けられる携帯型のプリンタ１０について説明する。プリンタ１０は円柱状のペン型に形成されており、ペン型プリンタとも呼ばれる。プリンタ１０について図１及び図２に基づき説明する。図１はプリンタ１０の斜視図であり、図２はプリンタ１０の断面図である。プリンタ１０は、プリンタ機能と無線による通信機能とを有しているＩｏＴ（Internet of Things）デバイスである。
【００１０】
プリンタ１０は、サーマルヘッド等の印刷ヘッド１１、プラテンローラ１２、給紙ローラ１３、記録紙ガイド１４、加圧バネ、制御基板１６、内蓋５０、外蓋６０を有している。印刷ヘッド１１は加圧バネによりプラテンローラ１２に押されている。記録紙は、給紙ローラ１３が設けられている側から記録紙ガイド１４に沿ってプリンタ１０に入り、印刷ヘッド１１とプラテンローラ１２との間で挟まれた状態で、プラテンローラ１２により搬送されながら印刷されて排紙される。制御基板１６には、プリンタ１０の制御を行う電子回路や電子部品が搭載されている。
【００１１】
内蓋５０及び外蓋６０は円筒状であり、外蓋６０の内側に内蓋５０が入るように形成されている。内蓋５０にはその母線に沿って開口している給紙口５１及び排紙口５２が設けられており、外蓋６０にはその母線に沿って開口している給紙口６１及び排紙口６２が設けられている。外蓋６０は内蓋５０に対し回転可能である。
【００１２】
プリンタ１０により印刷を行う際には、内蓋５０の給紙口５１と外蓋６０の給紙口６１の位置が一致して開いており、内蓋５０の排紙口５２と外蓋６０の排紙口６２の位置が一致して開いている。このように開いている給紙口５１及び給紙口６１より記録紙がプリンタ１０に入り、排紙口５２及び排紙口６２より排紙される。プリンタ１０には、給紙口５１、６１が開放している状態で記録紙カセット１００を給紙口６１に接続できる。
【００１３】
プリンタ１０で印刷を行う際には、印刷データが不図示の携帯情報端末よりプリンタ１０にＢＬＥ（Bluetooth Low Energy）等の無線通信により送信される。このため、プリンタ１０の内部には無線通信を行うためのアンテナが内蔵されている。
【００１４】
プリンタ１０には、充電池であるリチウムイオン電池が入れられた電源部８０が設けられており、リチウムイオン電池より供給された電力により、プリンタ１０を駆動することができる。プリンタ１０には、充電池に充電するための不図示のコネクタが内蔵されている。本願においては、プリンタ１０に内蔵されている充電池をプリンタ充電池と記載する場合がある。
【００１５】
プリンタ１０は、直径が約１８ｍｍ、長さは約１６５ｍｍ〜１７０ｍｍと小型であり、ストレスを伴うことなく持ち運びができる。プリンタ１０にはフック９０が設けられており、ペンと同様に胸のポケット等にさした状態で持ち運ぶことが可能である。
【００１６】
（記録紙カセット）
次に、本実施の形態の記録紙カセット１００について説明する。本実施の形態の記録紙カセット１００は、プリンタ１０に取り付けられて使用するものである。図３は、記録紙カセット１００の筐体を透過した上面斜視図であり、図４は底面斜視図であり、図５は、上面斜視図である。
【００１７】
記録紙カセット１００には、筐体１１０の内側に、重ねられた記録紙１０１が設置されている。記録紙カセット１００には、筐体１１０の内側の上側の面には、付勢バネ１１２が設けられており、重ねられた記録紙１０１を下、即ち、Ｚ２側に押している。また、記録紙カセット１００の筐体１１０の内側の上側の面には、記録紙１０１の搬送を円滑にするため、Ｚ２方向に出っ張ったＹ１−Ｙ２方向に延びる凸状のリブ１１４が設けられており、下側の面にはＺ１方向に出っ張ったＹ１−Ｙ２方向に延びる凸状のリブ１１５が設けられている。
【００１８】
記録紙カセット１００のＹ２側には、プリンタ１０に取り付けるための２つのツメ１１３が設けられている。記録紙カセット１００のツメ１１３をプリンタ１０の給紙ローラ１３のシャフトに引っ掛けることにより、プリンタ１０に記録紙カセット１００を取り付けることができる。
【００１９】
記録紙カセット１００には、第１の搬送ローラ１２０、補助ローラ１３０、第２の搬送ローラ１４０が設けられている。第１の搬送ローラ１２０が設けられているシャフト１２１の両側には、第１のギア１５１及び後述する第２のギア１５２が取り付けられている。補助ローラ１３０が設けられているシャフトの両側には、第３のギア１５３及び第４のギア１５４が取り付けられている。第２の搬送ローラ１４０が設けられているシャフト１４１の両側には、第５のギア１５５及び後述する第６のギア１５６が取り付けられている。
【００２０】
第１の搬送ローラ１２０及び第２の搬送ローラ１４０は、記録紙カセット１００がプリンタ１０と接続された状態で回転するものであり、詳細については後述する。
【００２１】
記録紙カセット１００には、図６及び図７に示すように、記録紙カセット１００を持ち運ぶ際などにＹ２方向の側を覆うカセットカバー１１９が取り付けられる。このように取り付けられたカセットカバー１１９により、ツメ１１３、第１の搬送ローラ１２０、第１のギア１５１が覆われる。図６は、カセットカバー１１９が取り付けられた記録紙カセット１００の上面斜視図であり、図７は底面斜視図である。
【００２２】
（プリンタとの接続）
次に、記録紙カセット１００とプリンタ１０との接続について、図８及び図９に基づき説明する。尚、図８は、プリンタ１０に取り付けられた記録紙カセット１００の上面斜視図であり、図９は底面斜視図である。
【００２３】
上述したように、記録紙カセット１００のＹ２側に設けられた２つのツメ１１３をプリンタ１０の給紙ローラ１３のシャフトに引っ掛けることにより、プリンタ１０に記録紙カセット１００が取り付けられ、記録紙カセット１００とプリンタ１０とが接続される。また、本実施の形態においては、スマートフォン等の携帯端末１８０を載置することができる。具体的には、図８から図１１に示されるように、カバー１８１が取り付けられたスマートフォン等の携帯端末１８０にを記録紙カセット１００の筐体１１０の所定の載置領域１１１に載置することができる。
【００２４】
（記録紙の設置）
次に、記録紙カセット１００への記録紙１０１の設置について、図１２から図１４に基づき説明する。記録紙カセット１００の底面側となるＺ２側には、Ｘ１−Ｘ２方向を軸に回動可能な底蓋１１８が設けられている。記録紙カセット１００に記録紙１０１を設置する際には、図１２の破線矢印Ａに示すように底蓋１１８を回動させて開き、図１３に示すように記録紙カセット１００の内側に記録紙１０１を設置する。この後、図１４の破線矢印Ｂに示すように底蓋１１８を回動させて閉じる。
【００２５】
（記録紙カセットの機構）
次に、記録紙カセット１００の機構について、図１５から図１９に基づき説明する。図１５から図１７は、プリンタ１０に接続された記録紙カセット１００の断面であって、各々のギアの噛み合わせを説明するためのものであり、便宜上、第６のギア１５６は省略されている。また、図１５及び図１６は、記録紙カセット１００内に記録紙１０１が収納されている状態を示している。また、図１７では、記録紙カセット１００に記録紙１０１が収納されていない状態を示している。記録紙カセット１００の内部には付勢バネ１１２が設けられており、記録紙カセット１００内に収納された記録紙１０１をＺ２方向に押す付勢力が働く。図１８は、プリンタ１０と記録紙カセット１００とが接続されたときのプリンタ１０の給紙ローラ１３、記録紙カセット１００の第１の搬送ローラ１２０、補助ローラ１３０、第２の搬送ローラ１４０を示す斜視図であり、図１９は図１８の要部の拡大図である。尚、図１８及び図１９は、便宜上、細部において他の図面と異なっているが、発明の内容に影響を与えるものではない。
【００２６】
プリンタ１０に設けられている給紙ローラ１３は、記録紙カセット１００から繰り出された記録紙１０１をプリンタ１０に給紙する。給紙ローラ１３はシャフト１３ａに取り付けられており、シャフト１３ａとはフリーの状態、即ち、独立に回転可能な状態で取り付けられている。給紙ギア１３ｂの回転は給紙ローラ１３の回転の影響を受けない。シャフト１３ａの両側には給紙ギア１３ｂが取り付けられている。給紙ギア１３ｂはシャフト１３ａとともに一体となって回転する。
【００２７】
記録紙カセット１００には、第１の搬送ローラ１２０、補助ローラ１３０、第２の搬送ローラ１４０が設けられている
第１の搬送ローラ１２０はシャフト１２１に取り付けられており、シャフト１２１とともに一体となって回転する。シャフト１２１の両側には、各々第１のギア１５１及び第２のギア１５２が取り付けられている。第１のギア１５１は第２のギア１５２よりも外側に取り付けられ、第１のギア１５１と第１の搬送ローラ１２０との間に第２のギア１５２が取り付けられている。
【００２８】
第１のギア１５１は、シャフト１２１に対しフリーの状態、即ち独立に回転可能な状態で取り付けられている。第２のギア１５２は、シャフト１２１に固定されており、シャフト１２１とともに一体となって回転する。
【００２９】
補助ローラ１３０は、シャフト１３１に取り付けられている。本実施の形態においては、シャフト１３１のみ回転し、補助ローラ１３０はシャフト１３１に対し自由回転するものであってもよい。図１８示すように、搬送される記録紙が補助ローラ１３０と接触しないように、Ｚ１側に突き出た記録紙ガイド１３２が設けられている。シャフト１３１の両側には、各々第３のギア１５３及び第４のギア１５４が取り付けられている。第３のギア１５３は第４のギア１５４よりも外側に取り付けられ、第３のギア１５３と補助ローラ１３０との間に、第４のギア１５４が取り付けられている。
【００３０】
第３のギア１５３はシャフト１３１に固定されており、シャフト１３１とともに一体となって回転する。第４のギア１５４はワンウェイ駆動のギアであり、後述するように、通常は第３のギア１５３と一緒に回転する。一方、給紙された用紙が印刷ヘッド１１とプラテンローラ１２にはさまれて搬送される場合には、プラテンローラ１２による用紙搬送速度が給紙速度より速くなり、用紙たるみを防止し、印字に影響を及ぼさないようにする。そのため、記録紙１０１の搬送速度が速くなった場合には、第４のギア１５４は第３のギア１５３及びシャフト１３１よりも速く回転する。
【００３１】
第２の搬送ローラ１４０は、記録紙カセット１００内の記録紙を一枚ずつ繰り出すローラである。第２の搬送ローラ１４０はシャフト１４１に取り付けられており、シャフト１４１とともに一体となって回転する。シャフト１４１の両側には、各々第５のギア１５５及び第６のギア１５６が取り付けられている。第６のギア１５６は第５のギア１５５よりも外側に取り付けられ、第６のギア１５６と第２の搬送ローラ１４０との間に第５のギア１５５が取り付けられている。
【００３２】
第６のギア１５６はシャフト１４１に固定されており、シャフト１４１とともに一体となって回転する。第５のギア１５５はワンウェイ駆動のギアであり、後述するように通常は第６のギア１５６と一緒に回転するが、記録紙１０１の搬送速度が速くなった場合に、第２の搬送ローラ１４０はプラテンローラ１２による用紙の搬送速度に連関して高速回転し、ワンウェイ機構により、第５のギア１５５は遅れる。
【００３３】
本実施の形態においては、給紙ギア１３ｂは第１のギア１５１と噛み合っており、第１のギア１５１は第３のギア１５３と噛み合っている。また、第４のギア１５４は第２のギア１５２及び第５のギア１５５と噛み合っている。第６のギア１５６は噛み合うギアが存在しない。よって、本実施の形態では、図２０に示すように、シャフト１４１に第６のギア１５６が設けられていない構造のものであってもよい。また、第５のギア１５５のワンウェイ機構を第６のギア１５６に対して持たせてもよいし、シャフト１４１に対して持たせてもよい。
【００３４】
尚、記録紙カセット１００の第１の搬送ローラ１２０、第２の搬送ローラ１４０は、微粘着性のローラである。微粘着性のローラは、回転駆動側のローラであることが好ましく、微粘着性のローラにすることにより、記録紙１０１の搬送を確実に行うことができる。
【００３５】
（記録紙の搬送１）
次に、記録紙カセット１００における記録紙１０１の搬送について説明する。本実施の形態においては、図１５及び図１６に示されるように、記録紙カセット１００内に収納されている記録紙１０１は、付勢バネ１１２の付勢力により、Ｚ２方向に押されている。これにより、一番下の記録紙１０１は第２の搬送ローラ１４０と接している。本実施の形態において、プリンタ１０はサーマルプリンタであり、印刷ヘッド１１はサーマルヘッドである。このため、記録紙１０１として感熱紙を用いる場合、感熱紙の印刷面が第２の搬送ローラ１４０と接触して力が加えられた状態が長く続くと、感熱紙の第２の搬送ローラ１４０と接触している部分が変色してしまう場合がある。本実施の形態においては、記録紙１０１は印刷面とは反対側の裏面で第２の搬送ローラ１４０と接触しているため、感熱紙が変色することを抑制できる。
【００３６】
記録紙カセット１００に収納されている記録紙１０１を搬送する際には、図２１に示すように給紙ギア１３ｂを破線矢印Ｃに示す時計回りに回転させる。具体的には、プリンタ１０の内部に設けられた不図示のモータを回転させ、モータの回転を不図示のギアボックスのギアを回転することにより、回転を給紙ギア１３ｂに伝達する。これにより、給紙ギア１３ｂを回転させる。シャフト１３ａに取り付けられているプリンタ給紙ギア１３ｂを時計回りに回転させると、シャフト１３ａも時計回りに回転する。このとき給紙ローラ１３は、これに伴い回転することはない。
【００３７】
プリンタ給紙ギア１３ｂと噛み合う記録紙カセット１００の第１のギア１５１は、プリンタ給紙ギア１３ｂの時計回りの回転により、破線矢印Ｄに示す反時計回りに回転する。第１のギア１５１はシャフト１２１に対し独立に回転可能な状態で取り付けられているため、第１のギア１５１の回転によりシャフト１２１や第１の搬送ローラ１２０が回転することはない。
【００３８】
第１のギア１５１と噛み合う第３のギア１５３は、第１のギア１５１の反時計回りの回転により、破線矢印Ｅに示す時計回りに回転する。第４のギア１５４はワンウェイギアであり、その回転方向によって第３のギア１５３に対して空転するが、この場合には第３のギア１５３と連動して回転するため、第４のギア１５４も時計回りに回転する。
【００３９】
また、第４のギア１５４と噛み合う第５のギア１５５は、第４のギア１５４の時計回りの回転により、破線矢印Ｆに示す反時計回りに回転する。第５のギア１５５は、第２の搬送ローラ１４０にワンウェイ機構にて接続されており、第５のギア１５５の反時計回りの回転に伴い、このときには第２の搬送ローラ１４０も反時計回りに回転する。第２の搬送ローラ１４０は、記録紙カセット１００内の一番下の記録紙１０１と接触しているため、第２の搬送ローラ１４０が反時計回りに回転することにより、記録紙カセット１００内の一番下の記録紙１０１をＹ２方向に搬送することができる。
【００４０】
また、第４のギア１５４と噛み合う第２のギア１５２は、第４のギア１５４の破線矢印Ｅに示す時計回りの回転により破線矢印Ｄに示す反時計回りに回転する。第２のギア１５２は、第１の搬送ローラ１２０に接続されているため、第２のギア１５２の回転に伴い第１の搬送ローラ１２０も反時計回りに回転する。第１の搬送ローラ１２０と給紙ローラ１３とは接触しているため、第１の搬送ローラ１２０が回転することにより、給紙ローラ１３は破線矢印Ｃに示す時計回りに回転する。
【００４１】
このような動作により、第１の搬送ローラ１２０の近傍まで搬送された記録紙１０１は、第１の搬送ローラ１２０と給紙ローラ１３との間に挟まれ、第１の搬送ローラ１２０の反時計回りの回転により、Ｙ２側のプリンタ１０の内部に搬送される。
【００４２】
このようにプリンタ１０の内部に搬送された記録紙１０１は、プラテンローラ１２と印刷ヘッド１１に挟まれた状態で、プラテンローラ１２の回転により搬送される。
【００４３】
（記録紙の搬送２）
次に、搬送された記録紙１０１がプラテンローラ１２と印刷ヘッド１１に挟まれた状態で、プラテンローラ１２により搬送されながら印刷される場合について説明する。
【００４４】
プリンタ１０で印刷が開始すると、搬送中の記録紙１０１がプリンタ１０の内部で撓まないように、プラテンローラ１２の回転による記録紙１０１の搬送速度は第１の搬送ローラ１２０の回転による記録紙１０１の搬送速度よりも速くなるように設定されている。従って、記録紙１０１が、プラテンローラ１２と印刷ヘッド１１に挟まれると、記録紙１０１はプラテンローラ１２の側に引っ張られる。このため、空転可能な給紙ローラ１３は、接している記録紙１０１の搬送により回転する。給紙ローラ１３の回転速度は記録紙１０１の搬送速度に依存するため、プラテンローラ１２の回転により記録紙１０１の搬送速度が速くなると、給紙ローラ１３はプリンタ給紙ギア１３ｂの回転よりも速く回転する。給紙ローラ１３の回転が速くなると、給紙ローラ１３に接して回転する第１の搬送ローラ１２０も速く回転する。第１の搬送ローラ１２０と第２のギア１５２とはシャフト１２１に固定されており、連動して回転するため、第１の搬送ローラ１２０の回転が速くなると、第１の搬送ローラ１２０に連動して回転する第２のギア１５２の反時計回りの回転も速くなる。
【００４５】
第２のギア１５２と噛み合う第４のギア１５４はワンウェイギアであり、第２のギア１５２の回転が速くなった場合には、第３のギア１５３よりも回転が速くなる。第２のギア１５２の回転が速くなると、第２のギア１５２と噛み合っている第４のギア１５４の回転が、第３のギア１５３の回転よりも速くなる。
【００４６】
また、第４のギア１５４と噛み合う第５のギア１５５は、第４のギア１５４の回転が速くなると、破線矢印Ｆに示す反時計回りの回転が速くなる。第５のギア１５５と第２の搬送ローラ１４０はワンウェイ機構で連関しており、第５のギア１５５が高速に回転するとき第２の搬送ローラ１４０は連動せず、第２の搬送ローラ１４０の回転速度は用紙搬送速度に連動する。
【００４７】
尚、記録紙１０１が引っ張られる際に、第２のギア１５２に連結している第１の搬送ローラ１２０は、記録紙１０１により引っ張られます。この場合、第２のギア１５２も連動して動く。すると第２のギア１５２の回転力で第４のギア１５４が駆動されることになります。ここで、第４のギア１５４がワンウェイギアではない場合、シャフトを回転させるため、第３のギア１５３を駆動することになる。
【００４８】
第３のギア１５３はプリンタ１０の給紙ギア１３ｂと連結しているので、プリンタ１０の給紙ギア１３ｂの駆動とバッティングしてしまう。このため、本実施の形態では、ワンウェイギアが２個設けられている。
【００４９】
尚、第５のギア１５５がワンウェイギアではない場合、第２のギア１５２から第５のギア１５５が固定で回転するため、第２のギア１５２の送りと第５のギア１５５の送りが同一速度である必要がある。よって、例えば、記録紙１０１となる帳票長さを７４ｍｍに限定し、この長さの中では少々弛むようにしておくなら可能である。
【００５０】
また、可能性としては、第２のギア１５２及び第３のギア１５３をワンウェイギアにして、第５のギア１５５をワンウェイギアではない構成にすることも考えられる。尚、この場合には、第６のギア１５６は不要になる。但し、この場合は第２のギア１５２の送り速度と第５のギア１５５の送り速度が同等になり、先に搬送されている記録紙が排出する時点で、次の記録紙がセンサの手前になるということを実現することができなくなる。第５のギア１５５の回転速度を落とすと、常に、第２のギア１５２から第５のギア１５５までの間で、大きなテンションが掛ることになり、記録紙カセット１００を構成する部材に悪影響を及ぼすことになる。このため、ワンウェイギアは２個設けた方が好ましい。
【００５１】
尚、搬送されている記録紙１０１が、記録紙カセット１００の給紙ローラ１３から外れると、第２のギア１５２により第４のギア１５４が回転し、第４のギア１５４により第５のギア１５５が回転し、更に、第６のギア１５６が回転する。これに伴い第２の搬送ローラ１４０が回転して、記録紙カセット１００に収納されている次の記録紙１０１の搬送を開始する。
【００５２】
また、次の記録紙１０１に切り替わる際には、自動的に次の記録紙に切り替わり、引き込み速度と給紙速度に差を設け、先に搬送されている記録紙の印刷が終了し排紙された時点で、次の記録紙が、位置検出部の手前となるように設計されている。
【００５３】
本実施の形態では、プラテンローラ１２による記録紙１０１の搬送が開始して記録紙１０１の搬送速度が速くなった場合に対応するためのワンウェイ機構が、プリンタ１０にではなく記録紙カセット１００に設けられている。プリンタ１０にワンウェイ機構を搭載した場合には、プリンタ１０の長さが５ｍｍ〜１０ｍｍ程度長くなり大型化してしまうが、本実施の形態ではワンウェイ機構が記録紙カセット１００に設けられているため、プリンタ１０にワンウェイ機構を設ける場合よりもプリンタ１０を小型、軽量にすることができる。
【００５４】
また、本実施の形態においては、記録紙１０１を搬送するための第１の搬送ローラ１２０及び第２の搬送ローラ１４０の動力源は、プリンタ１０に搭載されている不図示のモータである。具体的には、プリンタ１０に搭載されている不図示のモータにより、給紙ギア１３ｂを回転させ、給紙ギア１３ｂと噛み合っている第１のギア１５１を回転させることにより、更に、他のギアを回転させ、第１の搬送ローラ１２０及び第２の搬送ローラ１４０を回転させている。記録紙カセット１００には、第１の搬送ローラ１２０及び第２の搬送ローラ１４０を回転させるためのモータは設けられてはいないため、記録紙カセット１００も小型、軽量にすることができる。
【００５５】
尚、本実施の形態における記録紙カセットでは、不図示の２セルの充電池を搭載し、２セルの充電池の電力をプリンタに供給する構造にすることも可能である。
【００５６】
以上、本発明の実施に係る形態について説明したが、上記内容は、発明の内容を限定するものではない。
【符号の説明】
【００５７】
１０        プリンタ
１２        プラテンローラ
１３        給紙ローラ
１３ａ      シャフト
１３ｂ      給紙ギア
１００      記録紙カセット
１０１      記録紙
１２０        第１の搬送ローラ
１２１        シャフト
１３１        シャフト
１４０        第２の搬送ローラ
１４１        シャフト
１５１        第１のギア
１５２        第２のギア
１５３        第３のギア
１５４        第４のギア
１５５        第５のギア
１５６        第６のギア
【図１】
2019182588.tif 000003
【図２】
2019182588.tif 000004
【図３】
2019182588.tif 000005
【図４】
2019182588.tif 000006
【図５】
2019182588.tif 000007
【図６】
2019182588.tif 000008
【図７】
2019182588.tif 000009
【図８】
2019182588.tif 000010
【図９】
2019182588.tif 000011
【図１０】
2019182588.tif 000012
【図１１】
2019182588.tif 000013
【図１２】
2019182588.tif 000014
【図１３】
2019182588.tif 000015
【図１４】
2019182588.tif 000016
【図１５】
2019182588.tif 000017
【図１６】
2019182588.tif 000018
【図１７】
2019182588.tif 000019
【図１８】
2019182588.tif 000020
【図１９】
2019182588.tif 000021
【図２０】
2019182588.tif 000022
【図２１】
2019182588.tif 000023